(57)【要約】【課題】外部機器とケーブル接続する第１の接続と外部機器と接続台を介して接続する第２の接続のどちらに接続されたかの判定を専用の回路を設けずに実現できるようにする。【解決手段】中央制御部１１は、外部機器２が第１の接続端子２０を用いて接続される第１の接続（共通端子接続）と第２の接続端子２１を用いて接続される第２の接続（接続台接続）のどちらで接続されたかを、傾きセンサ１９によって検出された重力方向に対する傾きに基づいて判定し、この判定結果に応じた切替信号を切替回路２２に与えることによって共通端子接続と接続台接続のいずれか一方を選択して電気的に接続し、他方を電気的に切り離す制御を行う。【選択図】  図２
2010015209.tif 000002
【特許請求の範囲】
【請求項１】
外部機器と接続可能な電子機器であって、
前記外部機器とケーブルを介して接続を行う第１の接続端子と、
前記外部機器と接続台を介して接続を行う第２の接続端子と、
当該電子機器の重力方向に対する傾きを検出する傾きセンサと、
前記外部機器が前記第１の接続端子を用いて接続される第１の接続と前記第２の接続端子を用いて接続される第２の接続のどちらで接続されたかを、前記傾きセンサによって検出された重力方向に対する傾きに基づいて判定する判定部と、
この判定部による判定結果に基づいて前記第１の接続と前記第２の接続のいずれか一方を選択して電気的に接続し、他方を電気的に切り離す切替回路と、
を具備したことを特徴とする電子機器。
【請求項２】
前記判定部は、前記傾きセンサによって検出された重力方向に対する傾きが所定の角度の範囲内にある場合に、前記第２の接続端子を用いた第２の接続が行われたと判定し、前記傾きセンサによって検出された重力方向に対する傾きが所定の角度の範囲内にない場合に、前記第１の接続端子を用いた第２の接続が行われたと判定する、
ようにしたことを特徴とする請求項１記載の電子機器。
【請求項３】
前記第１の接続と前記第２の接続のいずれか一方で接続されたことを検出する接続検出手段を更に備え、
この接続検出手段によって前記第１の接続と前記第２の接続のいずれか一方で接続されたことが検出された際に、前記傾きセンサは当該電子機器の重力方向に対する傾きを検出する、
ようにしたことを特徴とする請求項１記載の電子機器。
【請求項４】
前記判定部は、前記傾きセンサによって検出された重力方向に対する傾きが所定時間継続しているか否かを判定し、所定時間継続していると判定した際にその傾きに基づいて前記第１の接続と前記第２の接続のどちらで接続されたかを判定する、
ようにしたことを特徴とする請求項１記載の電子機器。
【請求項５】
前記判定部は、前記傾きセンサによって複数の時点で検出された重力方向に対する各傾きに変化がなければ、その傾きが所定時間継続していると判定する、
ようにしたことを特徴とする請求項４記載の電子機器。
【請求項６】
前記第１の接続端子と前記第２の接続端子は、前記第１の接続端子に前記ケーブルを接続する際の方向と前記第２の接続端子に前記接続台を接続する際の方向とが当該電子機器に対して同じ方向となる位置に設ける、
ようにしたことを特徴とする請求項１記載の電子機器。
【請求項７】
前記傾きセンサは、当該電子機器のアプリケーションを実現するために利用されるセンサであり、このアプリケーション用の傾きセンサを前記第１の接続と前記第２の接続のいずれか一方で接続されたことを判定するために利用されるセンサとして兼用する、
ようにしたことを特徴とする請求項１〜６いずれかに記載の電子機器。
【請求項８】
コンピュータに対して、
外部機器とケーブルを介して接続を行う第１の接続端子を用いて接続される第１の接続と、前記外部機器と接続台を介して接続を行う第２の接続端子を用いて接続される第２の接続のどちらで接続されたかを、傾きセンサによって検出された重力方向に対する傾きに基づいて判定する機能と、
前記判定結果に基づいて前記第１の接続と前記第２の接続のいずれか一方を選択して電気的に接続し、他方を電気的に切り離す制御を行う機能と、
を実現させるためのプログラム。
【発明の詳細な説明】
【技術分野】
【０００１】
この発明は、外部機器と接続可能な電子機器及びプログラムに関する。
【背景技術】
【０００２】
従来、携帯電話では、ＵＳＢ（Ｕｎｉｖｅｒｓａｌ  Ｓｅｒｉａｌ  Ｂｕｓ）通信機能を使ってＰＣ（パーソナルコンピュータ）などの通信を行う際に、その外部接続端子（共通端子）にＵＳＢケーブル（共通ケーブル）を直接接続して通信する方法と、接続台（例えば、卓上ホルダ、クレードル、充電台）の接点を介して通信を行う方法が選べるようになっている。例えば、特許文献１には、上述したように共通ケーブルを接続して通信する方法と接続台を介して通信を行う方法のいずれでも接続が可能なプリンタ装置が開示されている。
【特許文献１】特開２００５−１２５６３４号公報
【発明の開示】
【発明が解決しようとする課題】
【０００３】
ところで、ＵＳＢ通信では、高速な通信を行うために接続の分岐があると、反射の影響で波形が歪んでしまうという問題があるため、携帯電話側では、どちらの接続方法が選択されたかに応じて接続経路の切替えを行い、他方の接続経路を電気的に切り離すＵＳＢ切替回路（切替えスイッチ）が設けられている。このため、どちらの方法で接続されたかを特定する専用の検出回路を設けるようにしているが、このような専用回路を設けることは、実装や小型化を図る上で不利であるほか、回路の複雑化などを招くという問題があった。
【０００４】
この発明の課題は、外部機器とケーブル接続する第１の接続と外部機器と接続台を介して接続する第２の接続のどちらに接続されたかの判定を専用の回路を設けずに実現できるようにすることである。
【課題を解決するための手段】
【０００５】
上述した課題を解決するために請求項１記載の発明は、外部機器と接続可能な電子機器であって、前記外部機器とケーブルを介して接続を行う第１の接続端子と、前記外部機器と接続台を介して接続を行う第２の接続端子と、当該電子機器の重力方向に対する傾きを検出する傾きセンサと、前記外部機器が前記第１の接続端子を用いて接続される第１の接続と前記第２の接続端子を用いて接続される第２の接続のどちらで接続されたかを、前記傾きセンサによって検出された重力方向に対する傾きに基づいて判定する判定部と、この判定部による判定結果に基づいて前記第１の接続と前記第２の接続のいずれか一方を選択して電気的に接続し、他方を電気的に切り離す切替回路と、を具備したことを特徴とする。
【０００６】
請求項１に従属する発明として、前記判定部は、前記傾きセンサによって検出された重力方向に対する傾きが所定の角度の範囲内にある場合に、前記第２の接続端子を用いた第２の接続が行われたと判定し、前記傾きセンサによって検出された重力方向に対する傾きが所定の角度の範囲内にない場合に、前記第１の接続端子を用いた第２の接続が行われたと判定する、ようにしたことを特徴とする請求項２記載の発明であってもよい。
【０００７】
請求項１に従属する発明として、前記第１の接続と前記第２の接続のいずれか一方で接続されたことを検出する接続検出手段を更に備え、この接続検出手段によって前記第１の接続と前記第２の接続のいずれか一方で接続されたことが検出された際に、前記傾きセンサは当該電子機器の重力方向に対する傾きを検出する、ようにしたことを特徴とする請求項３記載の発明であってもよい。
【０００８】
請求項１に従属する発明として、前記判定部は、前記傾きセンサによって検出された重力方向に対する傾きが所定時間継続しているか否かを判定し、所定時間継続していると判定した際にその傾きに基づいて前記第１の接続と前記第２の接続のどちらで接続されたかを判定する、ようにしたことを特徴とする請求項４記載の発明であってもよい。
【０００９】
請求項４に従属する発明として、前記判定部は、前記傾きセンサによって複数の時点で検出された重力方向に対する各傾きに変化がなければ、その傾きが所定時間継続していると判定する、請求項５記載の発明であってもよい。
【００１０】
請求項１に従属する発明として、前記第１の接続端子と前記第２の接続端子は、前記第１の接続端子に前記ケーブルを接続する際の方向と前記第２の接続端子に前記接続台を接続する際の方向とが当該電子機器に対して同じ方向となる位置に設ける、ようにしたことを特徴とする請求項６記載の発明であってもよい。
【００１１】
請求項１〜６いずれかに従属する発明として、前記傾きセンサは、当該電子機器のアプリケーションを実現するために利用されるセンサであり、このアプリケーション用の傾きセンサを前記第１の接続と前記第２の接続のいずれか一方で接続されたことを判定するために利用されるセンサとして兼用する、ようにしたことを特徴とする請求項７記載の発明であってもよい。
【００１２】
また、上述した課題を解決するために請求項８記載の発明は、コンピュータに対して、外部機器とケーブルを介して接続を行う第１の接続端子を用いて接続される第１の接続と、前記外部機器と接続台を介して接続を行う第２の接続端子を用いて接続される第２の接続のどちらで接続されたかを、傾きセンサによって検出された重力方向に対する傾きに基づいて判定する機能と、前記判定結果に基づいて前記第１の接続と前記第２の接続のいずれか一方を選択して電気的に接続し、他方を電気的に切り離す制御を行う機能と、を実現させるためのプログラムを特徴とする。
【発明の効果】
【００１３】
この発明によれば、外部機器とケーブルを介して接続する第１の接続と外部機器と接続台を介して接続する第２の接続のどちらに接続されたかの判定を専用の回路を設けずに実現することができ、実用性に富んだものとなる。
【発明を実施するための最良の形態】
【００１４】
以下、図１〜図５を参照して本発明の実施形態を説明する。
この実施形態は、電子機器として携帯電話機に適用した場合を例示したもので、図１は、携帯電話機１を外部機器２に接続した状態を示した図である。
携帯電話機１は、例えば、２つの筐体（操作部筐体１ａ、表示部筐体１ｂ）の連結状態に応じて複数のスタイル（クローズスタイル、オープンスタイル、ビュースタイルなど）に変更可能な２軸ヒンジタイプの携帯電話機である。そして、携帯電話機１は、外部機器（例えば、ＰＣ）２との間で通信を行う際に、共通ケーブル（ＵＳＢケーブル）３を介して接続することが可能なほか、接続台４を介して接続することが可能な構成となっている。接続台４は、例えば、充電機能及び通信機能を備えたクレードル（充電台）で、外部機器２にケーブル接続されており、携帯電話機１が載置（接続）された際に、携帯電話機１に内蔵されている二次電池（図示せず）に対して充電を行うほか、携帯電話機１との間で通信を行う。なお、接続台４は、卓上ホルダなどであってもよい。
【００１５】
図２は、携帯電話機１の基本的な構成要素を示したブロック図である。
携帯電話機１は、通話機能、電子メール機能、インターネット接続機能（Ｗｅｂアクセス機能）、歩数計機能、コンテンツ再生機能など、各種の機能が備えられている。中央制御部１１は、二次電池を備えた電源部１２からの電力供給によって動作し、記憶部１３内の各種のプログラムに応じてこの携帯電話機１の全体動作を制御するもので、この中央制御部１１にはＣＰＵ（中央演算処理装置）やメモリなどが設けられている。記憶部１３は、ＲＯＭ、ＲＡＭなどの内部メモリで、プログラム領域とデータ領域とを有し、このプログラム領域には、後述する図５に示す動作手順に応じて本実施形態を実現するためのプログラムが格納されている。また、記憶部１３のデータ領域には、後述する一時メモリＭ、回数カウンタＣなどが設けられている。なお、記憶部１３としては、例えば、ＳＤカード、ＩＣカードなど、着脱自在な可搬型メモリ（記録メディア）を含む構成であってもよい。
【００１６】
無線通信部１４は、無線部、ベースバンド部、多重分離部などを備え、例えば、通話機能、電子メール機能、インターネット接続機能などの動作時に、最寄りの基地局との間でデータの送受信を行うもので、通話機能の動作時にベースバンド部の受信側から信号を取り込んで受信ベースバンド信号に復調したのち、音声信号処理部１５を介して送話スピーカＳＰから音声出力させる。また、無線通信部１４は、受話マイクＭＣからの入力音声データを音声信号処理部１５から取り込み、送信ベースバンド信号に符号化したのち、ベースバンド部の送信側に与えてアンテナから発信出力させる。
【００１７】
表示部１６は、高精細液晶あるいは有機ＥＬなどを使用し、例えば、文字情報、待受画像などを表示させる。操作部１７は、ダイヤル入力、文字入力、コマンド入力などを入力するもので、中央制御部１１は、入力操作信号に応じた処理を実行する。アプリ処理関係部１８は、例えば、歩数計機能、コンテンツ再生機能などのアプリケーション処理に関する情報を記憶したり、その処理に関する制御を行ったりする。
【００１８】
傾き検出部１９は、アプリケーション（歩数計機能）を実現するために用いられている３軸タイプの加速度センサを傾きセンサとして兼用するようにしたもので、携帯電話機１の重力方向に対する傾きを検出する。この場合、３次元空間のＺ軸方向は、そのセンサ基板が水平であれば、重力加速度は、プラス１Ｇの出力になり、センサ基板を９０度傾けたときには、０Ｇとなり、逆向きにしたときには、マイナス１Ｇの出力となるために携帯電話機１の重力方向に対する傾きを検出することができる。なお、傾き検出部１９は、操作部筐体１ａ内に備えられており、その厚さ方向がＺ軸方向となる。
【００１９】
第１の接続端子２０は、外部機器２と共通ケーブル３を介して接続を行う共通接続端子であり、第２の接続端子２１は、外部機器２と接続台４の接点を介して接続を行うクレードル接続端子である。中央制御部１１は、外部機器２が第１の接続端子２０を用いて接続される第１の接続（共通端子接続）と第２の接続端子２１を用いて接続される第２の接続（接続台接続）のどちらで接続されたかを、傾きセンサ１９によって検出された重力方向に対する傾きに基づいて判定し、この判定結果に応じた接続切替信号をＵＳＢ切替回路２２に与える。
【００２０】
この切替回路２２は、中央制御部１１からの接続切替信号に基づいて共通端子接続と接続台接続の一方の接続経路に切替え、他方の接続経路を物理的に切り離す切替えスイッチである。ＵＳＢコントローラ２３は、各種の制御を行うインターフェイスで、第１の接続端子２０は電源ライン２４を介してコントローラ２３に接続され、第２の接続端子２１は逆流防止ダイオード２５を介して電源ライン２４に接続されていると共に、この電源ライン２４を介してコントローラ２３に接続されている。コントローラ２３は、この電源ライン２４の電圧を検出することによって、第１の接続端子２０、第２の接続端子２１のいずれか一方への接続が行われたことを検出して、中央制御部１１に接続有り信号を与えるようにしている。
【００２１】
図３は、接続台接続時及び共通端子接続時の状態を示した図である。
図３（ａ）は、接続台接続時の状態を示した図で、接続台４に携帯電話機１が載置されると、携帯電話機１側の第２の接続端子２１と接続台４側の接点（図示せず）とが接続されるが、その際、携帯電話機１は、接続台４に載置されている状態において接続台４の底面部の傾斜によってその重力方向に対して所定の角度αで傾くようになる。ここで、傾きセンサ１９は、携帯電話機１の重力方向と携帯電話機１の基準軸方向（上述したＺ軸方向）との角度、つまり、携帯電話機１の重力方向に対する傾きを検出する。このように携帯電話機１が接続台４に載置されている状態ではその傾きは安定するようになる。なお、図示の例では、携帯電話機１を接続台４に載置した場合を例示したもので、携帯電話機１を折り畳むと共に、操作部筐体１ａの一側部を下側に向けた状態でその表示部１６を視認可能なビュースタイルで載置した場合である。
【００２２】
図３（ｂ）は、共通端子接続時の状態を示した図で、第１の接続端子２０に共通ケーブル３が接続されている状態では、図３（ａ）に示した所定の角度αとは異なる角度となる場合がほとんどである。また、携帯電話機１を手持ちしている場合には、その角度は刻々変化して不安定なものとなる。このように携帯電話機１の重力方向に対する傾き具合やその安定具合に応じて中央制御部１１は、接続台接続か共通端子接続かを判定するようにしている。
【００２３】
図４は、携帯電話機１に配置されている第１の接続端子２０と、第２の接続端子２１の位置関係を説明するための図で、（ａ）は、携帯電話機１の外観図、（ｂ）は、携帯電話機１を接続台４に載置する際の携帯電話機１の向きを示した図である。
第１の接続端子２０、第２の接続端子２１は、操作部筐体の一側部に配置されている。すなわち、第１の接続端子２０に共通ケーブル３を介して接続する際、第２の接続端子２１に接続台４を介して接続する際に、当該携帯電話機１に対して同じ方向から接続可能となるように同じ側面部に配置されている。
【００２４】
この場合、携帯電話機１を接続台４に載置（接続）させる際に、第２の接続端子２１を下側に向けて載置（接続）させるため、第１の接続端子２０と第２の接続端子２１とが同じ側に配置されていれば、第１の接続端子２０に共通ケーブル３を接続したままの状態で接続台４に載置されることを防ぐことができるようになる。つまり、接続台４に載置するときには、共通ケーブル３を外し、逆に、共通ケーブル３を接続するときには、接続台４に載置しないようにするため、共通端子接続と接続台接続のどちらか一方が接続されることになり、両方の接続を防ぐことができるようになる。
【００２５】
次に、この実施形態における携帯電話機１の動作概念を図５に示すフローチャートを参照して説明する。ここで、このフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施形態特有の動作を実行することもできる。
【００２６】
図５は、電源投入に伴って実行開始される携帯電話機１の全体動作を示したフローチャートである。
先ず、中央制御部１１は、電源スイッチのＯＮ操作に応答して（ステップＳ１でＹＥＳ）、電源部１２を駆動させて携帯電話機１の各部位に電力を供給させるほか、所定のメモリなどを初期化する電源オン処理を実行する（ステップＳ２）。そして、所定の待受画像を読み出して表示させる待ち受け状態において（ステップＳ３）、無線通信部１４から電話の着信有無をチェックする（ステップＳ４）。いま、電話着信を検出したときには（ステップＳ４でＹＥＳ）、回線接続させるオフフック操作に応答して（ステップＳ５でＹＥＳ）、通話可能状態とする通話処理を開始する（ステップＳ６）。その後、回線を遮断させるオンフック操作に応答して（ステップＳ７でＹＥＳ）、上述の待ち受け状態に戻る（ステップＳ３）。なお、相手側から回線が遮断された着信終了時にも（ステップＳ８でＹＥＳ）、上述の待ち受け状態に戻る（ステップＳ３）。
【００２７】
この待ち受け状態において中央制御部１１は、コントローラ２３が電源ライン２４の電圧を検出することによって第１の接続端子２０、第２の接続端子２１のいずれか一方への接続が行われたことを検出したかを調べたり（ステップＳ９）、ユーザ操作が行われたかを調べたりする（ステップＳ１０）。なお、何らかのユーザ操作が行われたときには（ステップＳ１０でＹＥＳ）、電源ＯＦＦ操作かを調べ（ステップＳ１１）、その他の操作であれば（ステップＳ１１でＮＯ）、操作に応じた処理として、例えば、発信処理や音楽再生処理などのアプリケーション処理を実行するが（ステップＳ１３）、電源ＯＦＦ操作が行われたときには（ステップＳ１１でＹＥＳ）、電源ＯＦＦ処理を行う（ステップＳ１２）。
【００２８】
いま、第１の接続端子２０、第２の接続端子２１のいずれか一方への接続が行われたことを検出すると（ステップＳ９でＹＥＳ）、傾き検出部１９を駆動させて携帯電話機１の重力方向に対する傾きを検出させる（ステップＳ１４）。そして、傾き検出部１９によって今回検出された傾き情報を一時メモリＭに記憶させたのち（ステップＳ１５）、回数カウンタＣに“１”を加算してその値を更新し（ステップＳ１６）、この回数カウンタＣの値は“Ｎ回”であるかを調べる（ステップＳ１７）。いま、接続検出直後ではその値は“１”であるため（ステップＳ１７でＮＯ）、上述のステップＳ９に戻り、以下、接続が検出されている間（ステップＳ９でＹＥＳ）、回数カウンタＣの値が“Ｎ回（例えば、６回）”に達するまで所定時間毎（例えば、１／４秒毎）に上述の動作を繰り返す。
【００２９】
いま、回数カウンタＣの値が“Ｎ回”に達すると（ステップＳ１７でＹＥＳ）、一時メモリＭに記憶されているＮ回分の傾き情報は全て同一あるいは近似する値であるかを調べる（ステップＳ１８）。言い換えれば、複数の時点で検出された複数回の傾きに基づいてその傾く具合が所定時間継続して安定しているか否かを判定する。ここで、傾き具合が所定時間継続していれば、その傾きの大きさに基づいて第１の接続と第２の接続のどちらで接続されたかの判定を行う。ここで、傾き情報の各値が相違していれば、傾く具合が不安定で携帯電話機１が手持ちされている状態であると判断し（ステップＳ１８でＮＯ）、共通端子接続と判定する（ステップＳ２３）。また、傾き情報の各値が同一あるいは近似し、傾く具合が継続的に安定しているときには（ステップＳ１８でＹＥＳ）、携帯電話機１が接続台４に載置されているか、机などに置かれている場合であると判断し、その傾きは所定角度の範囲内かを調べる（ステップＳ１９）。
【００３０】
ここで、所定の角度の範囲内とは、例えば、上述した所定の角度α±３°の範囲である。いま、傾きが所定の角度αの範囲内で安定していれば（ステップＳ１９でＹＥＳ）、接続台接続と判定する（ステップＳ２０）。また、傾きが安定していても所定の角度の範囲内から外れていれば（ステップＳ１９でＮＯ）、共通端子接続と判定する（ステップＳ２３）。このようにして共通端子接続であると判定した場合には、切替回路２２を制御して、第１の接続端子２０側に電気的に切り替えさせる（ステップＳ２４）。この場合、切替回路２２によって第２の接続端子２１側は電気的に切り離される。また、接続台接続であると判定した場合には（ステップＳ２０）、切替回路２２を制御して、第２の接続端子２１側に電気的に切り替えさせる（ステップＳ２１）。この場合、切替回路２２によって第１の接続端子２０側が電気的に切り離される。
【００３１】
このようにして第１の接続端子２０あるいは第２の接続端子２１を介して外部機器２に接続されると（ステップＳ２１、Ｓ２４）、回数カウンタの値をリセットしたのち（ステップＳ２２）、外部機器２から通信指示が有るかを調べ（ステップＳ２５）、通信指示が無ければ、外部機器２が接続されてから所定時間が経過したかを調べる（ステップＳ２６）。いま、所定時間が経過しても通信指示が無ければ（ステップＳ２６でＮＯ）、上述の待ち受け状態に戻るが（ステップＳ３）、所定時間以内に通信指示が有れば（ステップＳ２５でＹＥＳ）、それに応答して通信処理を開始し（ステップＳ２７）、通信終了が指示されるまで（ステップＳ２８）、上述のステップＳ２７に戻り、通信処理を継続する。その後、通信終了の指示に応答して（ステップＳ２８でＹＥＳ）、上述の待ち受け状態に戻る（ステップＳ３）。
【００３２】
以上のように、この実施形態において中央制御部１１は、外部機器２が第１の接続端子２０を用いて接続される第１の接続（共通端子接続）と第２の接続端子２１を用いて接続される第２の接続（接続台接続）のどちらで接続されたかを、傾きセンサ１９によって検出された重力方向に対する傾きに基づいて判定し、この判定結果に応じた切替信号を切替回路２２に与えることによって共通端子接続と接続台接続のいずれか一方を選択し、他方を切り離すようにしたので、共通端子接続と接続台接続のどちらに接続されたかの判定を専用の回路を設けずに実現することができ、実装や小型化を図る上で有利となり、実用性に富んだものとなる。
【００３３】
中央制御部１１は、傾きセンサ１９によって検出された重力方向に対する傾きが所定の角度の範囲内であれば、第２の接続端子２１を用いた接続台接続が行われたと判定し、傾きセンサ１９によって検出された重力方向に対する傾きが所定の角度の範囲内になければ、第１の接続端子２０を用いた共通端子接続が行われたと判定するようにしたので、携帯電話機１を接続台４に接続させたときに携帯電話機１が重力方向に対して傾斜していても、その角度は略一定しているので、接続台接続であること判定することができる。
【００３４】
第１の接続端子２０、第２の接続端子２１のいずれか一方への接続が行われたことを検出した際に、傾き検出部１９を駆動させて携帯電話機１の重力方向に対する傾きを検出させるようにしたので、必要なときに傾きを検出することができ、無駄な検出を抑え、節電対策上有効なものとなる。
【００３５】
中央制御部１１は、傾きセンサ１９によって検出された重力方向に対する傾き具合が所定時間継続しているか否かを判定し、所定時間継続していると判定した際にその傾きに基づいて共通端子接続と接続台接続のどちらで接続されたかを判定するようにしたので、誤判定を防ぐことができ、より確実なものとなる。この場合、複数の時点で検出された複数回の傾きに基づいてその傾く具合が所定時間継続して安定しているかを判定するようにしたので、複数の検出でその判定が可能となる。
【００３６】
第１の接続端子２０と第２の接続端子２１は、携帯電話機１に対して同じ方向から接続可能となるように同じ側面部に配置されているので、すなわち、第１の接続端子２０に共通ケーブル３を接続する際の方向と第２の接続端子２１に接続台４を接続する際の方向とが当該携帯電話機に対して同じ方向となる位置に設けるようにしたので、共通端子接続と接続台接続のどちらか一方が接続されることになり、両方の接続を防ぐことができる。
【００３７】
傾き検出部１９は、アプリケーション（歩数計機能）を実現するために用いられている３軸タイプの加速度センサを傾きセンサとして兼用するようにしたので、接続判定用としての特別なセンサが不要となる。
【００３８】
一方、共通端子接続と接続台接続のどちらで接続されたかを、傾きセンサ１９によって検出された重力方向に対する傾きに基づいて判定し、この判定結果に応じた切替信号を切替回路２２に与えて共通端子接続と接続台接続のいずれか一方を選択して電気的に接続し、他方を電気的に切り離す制御をプログラムによって実現することができる。これによって共通端子接続と接続台接続のどちらに接続されたかの判定を専用の回路を設けずに実現することができ、実装や小型化を図る上で有利となり、実用性に富んだものとなる。
【００３９】
なお、上述した実施形態では外部機器２としてＰＣを例示したが、外部機器２は録画装置などであってもよい。また、上述した実施形態では傾き検出部１９として加速度センサを例示したが、重り移動に応じて姿勢を検知する機械式の姿勢センサなどであってもよい。
その他、電子機器としては、携帯電話機に限らず、例えば、ＰＤＡ、デジタルカメラ、電子腕時計、音楽再生機、ＰＣ（パーソナルコンピュータ）などであっても同様に適用可能である。
【図面の簡単な説明】
【００４０】
【図１】電子機器として適用した携帯電話機１を外部機器２に接続した状態を示した図。
【図２】携帯電話機１の基本的な構成要素を示したブロック図。
【図３】図３（ａ）は、接続台接続時の状態を示した図、（ｂ）は、共通端子接続時の状態を示した図。
【図４】携帯電話機１に配置されている第１の接続端子２０、第２の接続端子２１の位置関係を説明するための図で、（ａ）は、携帯電話機１の外観図、（ｂ）は、携帯電話機１を接続台４に載置する際の携帯電話機１の向きを示した図。
【図５】電源投入に伴って実行開始される携帯電話機１の全体動作を示したフローチャート。
【符号の説明】
【００４１】
１  携帯電話機
２  外部機器
３  共通ケーブル
４  接続台
１１  中央制御部
１３  記憶部
１８  アプリ処理関係部
１９  傾き検出部
２０  第１の接続端子
２１  第２の接続端子
２２  ＵＳＢ切替回路
２３  ＵＳＢコントローラ
２４  電源ライン
Ｍ  一時メモリ
Ｃ  回数カウンタ
【図１】
2010015209.tif 000003
【図２】
2010015209.tif 000004
【図３】
2010015209.tif 000005
【図４】
2010015209.tif 000006
【図５】
2010015209.tif 000007